(57)【要約】【課題】本発明は、器具効率が低下することを防ぐとともに、製造効率を高めることができる制光体および照明器具を提供することを目的とする。【解決手段】一枚の平板から側枠部材形成部９０を成形するとともに、平板の長手方向の両端部側に端枠部形成部９１を成形する。そして、側枠部材形成部９０と連続するように一対の反射部形成部９２を成形し、その反射部形成部９２の長手方向において略等間隔に複数の孔部９３（３５）を成形する。  このように形成された枠部体９５において、側枠部材形成部９０、９０、端枠部材形成部９１，９１を起立させて、次に反射部形成部９２、９２を側枠部材形成部９０、端枠部形成部９１と同方向に向けて起立させることで枠部３０Ａを形成する。これにより、バッフル３の枠体３０は、材料取りをよくすることができるとともに製造も容易とすることができる。【選択図】図３
2005327525.tif 000002
【特許請求の範囲】
【請求項１】
長手方向に互いに平行に形成された一対の側枠部と、これら一対の側枠部の長手方向の両端部を互いに連結する一対の端枠部と、各々の側枠部の内側縁から連続して起立するとともに互いに対向するように形成された一対の反射部と、各反射部の長手方向において略等間隔に形成されている複数の孔部とを有し、一対の側枠部、一対の端枠部および一対の反射部とが一体となって形成されている枠体と；
両側縁に形成された一対の係合片、この係合片が各反射部の孔部と係合することで一対の反射部間に設けられる複数の制光片と；
を具備することを特徴とする制光体。
【請求項２】
光源と；
光源が設けられる器具本体と；
器具本体に設けられる請求項１記載の制光体と；
を具備することを特徴とする照明器具。
【発明の詳細な説明】
【技術分野】
【０００１】
本発明は、制光体または制光体を具備する照明器具に関する。
【背景技術】
【０００２】
従来、例えば照明器具の照射開口部に設けられる制光体であるバッフルは、並設された複数のバッフル片と、その各バッフル片とが設けられる一対の反射部とによって構成されいてることが知られている（例えば特許文献１参照）。
【０００３】
そして、特許文献１には、平板から一対の反射部分と、両反射部分間にまたがって複数のバッフル片部分とを、その下縁の両側の細幅部分を介して反射部部分の互い向かい合う側縁に連結させて打ち抜く第１の工程、前記バッフル片部分を前記細幅部分をよじるようにして起立させる第２の工程、前記反射部部分を起立された前記バッフル片部分の側縁に向い合うように前記細幅部分から折り曲げる第３の工程、バッフル片の両側縁に形成されてある突出した耳部を、前記反射部分に形成されてある孔に挿通する第４の工程および前記孔に挿通された耳部の先端をかしめる第５の工程とからなる照明器具用バッフルが開示されている。
【特許文献１】特開平５−２６６７０７号公報
【発明の開示】
【発明が解決しようとする課題】
【０００４】
しかしながら、特許文献１記載の従来技術は、複数のバッフル片の周囲を囲うような周枠部を形成することができないものである。すなわち、例えばバッフルの長手方向の両端部側に端枠部が形成されていない場合には、照明器具の照射開口とバッフルとの間に隙間が形成されてしまうことがある。すると、この隙間から光が漏れてしまうので、器具効率が低下してしまうという課題があった。
【０００５】
また、特許文献１記載の従来技術は、バッフル片を反射部からよじるようにして形成しているので、製造工程が煩雑であるとともに、バッフル片の両側片と反射部の反射面とに隙間を生じやすい構成であるので、意匠性が低下する虞があった。
【０００６】
本発明は上記に鑑みたものであり、器具効率が低下することを防ぐとともに製造効率がよく意匠性も低下しない制光体および照明器具を提供することを目的とする。
【課題を解決するための手段】
【０００７】
請求項１に記載の制光体によれば、長手方向に互いに平行に形成された一対の側枠部と、これら一対の側枠部の長手方向の両端部を互いに連結する一対の端枠部と、各々の側枠部の内側縁から連続して起立するとともに互いに対向するように形成された一対の反射部と、各反射部の長手方向において略等間隔に形成されている複数の孔部とを有し、一対の側枠部、一対の端枠部および一対の反射部とが一体となって形成されている枠体と；両側縁に形成された一対の係合片、この係合片が各反射部の孔部と係合することで一対の反射部間に設けられる複数の制光片と；を具備していることを特徴とする。
【０００８】
本発明及び以下の発明において、特に指定しない限り用語の定義および技術的意味は次による。
【０００９】
枠体は、少なくとも一対の側枠部、一対の端枠部および一対の反射部とが連続して形成されているものであり、各々の部材が形成される前の状態は一枚の平板からなっているものである。すなわち、一対の反射部は、一対の側枠部および一対の端枠部で囲まれた平板部分を利用するものである。そしてこの反射部は、短方向の長さが一対の側枠部および一対の端枠部によって形成される開口部の短方向における長さ寸法の１／２以下となるように形成すればよい。このように形成することで、材料取りがよいとともに生産性が向上することができる。
【００１０】
請求項１の発明によれば、まず、一枚の平板から側枠部形成部と端枠部形成部とを成形する。そして、側枠部形成部と端枠部形成部とで囲まれている平板部から一対の反射部形成部を成形し、その反射部形成部の長手方向において略等間隔に複数の孔部を成形する。さらに、各反射部形成部を側枠部形成部の内側縁を介して起立させることで枠体を形成する。
【００１１】
そして、このように形成された枠体に、枠体とは別体で形成された複数の制光片の係合片を反射部の孔部に係合させて並設することで、制光体が構成される。
【００１２】
本発明によれば、長手方向に互いに平行に形成された一対の側枠部と、これら一対の側枠部の長手方向の両端部を互いに連結する一対の端枠部と、各々の側枠部の内側縁から連続して起立するとともに互いに対向するように形成された一対の反射部と、各反射部の長手方向において略等間隔に形成されている複数の孔部とを有し、一対の側枠部、一対の端枠部および一対の反射部とが一体となって形成されている枠体と；両側縁に形成された一対の係合片、この係合片が各反射部の孔部と係合することで一対の反射部間に設けられる複数の制光片と；を具備することより、制光体が照明器具の器具本体に設けられた際に制光体周囲と照明器具の照射開口との間からの光漏れを抑制することができるので、器具効率が低下することを防ぐことができる。
【００１３】
また、一枚の平板から一対の側枠部、一対の端枠部および一対の反射部を形成し、かつ、反射部は一対の側枠部から起立させることで形成できるので、製造を容易とすることができる。
【００１４】
さらにまた、制光片と枠体とは別部材としたことにより、制光片の両側片と反射部の反射面とに隙間を生じにくくなっているので、意匠性が低下することを防ぐことができる。
【００１５】
請求項２記載の照明器具は、光源と；光源が設けられる器具本体と；器具本体に設けられる請求項１記載の制光体と；を具備することを特徴とする。
【００１６】
請求項２記載の発明によれば、請求項１記載の作用効果を奉す。
【発明の効果】
【００１７】
本発明によれば、制光体が照明器具の器具本体に設けられた際に制光体周囲と照明器具の照射開口との間からの光漏れを抑制することができるので、器具効率が低下することを防ぐことができる。また、一枚の平板から一対の側枠部、一対の端枠部および一対の反射部を形成し、かつ、反射部は一対の側枠部から起立させることで形成できるので、製造を容易にすることができる。
【発明を実施するための最良の形態】
【００１８】
本発明の一実施形態を図面を参照して説明する。図１は第一実施形態の照明器具の平面図、図２は図１の制光体であるバッフルを示す説明図、図３は図２の枠体の形成前の状態を示す展開図、図４は図２のバッフルの枠体とルーバ片との係合状態を示す説明図である。
【００１９】
照明器具１０は、例えばＴバーをグリッド上に組み込んだシステム天井に設置される天井埋込器具であって、多角形環状、例えば四角形環状のランプ２を使用する。
【００２０】
ランプ２は、蛍光ランプであって、直線状の４つの辺２１、および、これらの４つの辺２１の端部間を接続する４つの角部２２を有する四角形環状に形成された発光管２３を有している。
【００２１】
またランプ２は、発光管２３の一辺中央で発光管２３を接続する口金２４を有している。なお口金部２４には図示しない電極に接続された図示しない接続ピンが突設されている。
【００２２】
また照明器具１０は、器具本体１１とこの器具本体１１に取り付けられる４つの制光体としてのバッフル３とを有している。
【００２３】
器具本体１１は、下面に四角形状の照射開口１２を有する四角形箱状に形成されており、図示しない天板部、この天板部の周縁部から下方へ折曲形成された側部１３を有している。そして、器具本体１１の外形寸法は、システム天井のＴバーによって四方が囲まれた埋込開口の内寸よりも小さく形成されており、固定部１９を介してＴバーへ係止されるものである。
【００２４】
また器具本体１１の中央領域には、四角形状の開口部１４が形成され、この開口部１４の下面側を覆う天井付帯設備取付体４が天板部に螺子止め等で着脱自在に取り付けられている。この天井付帯設備取付体４は、本実施形態のように下面が平板状であって、開口部１４を外部から視認できないようにする天井カバーとして使用することはもちろん、例えば、スピーカ、非常灯、ダウンライトおよび空調機器等を取り付けることができるものである。なお、天井付帯設備取付体４が設けられる器具本体１１の天板部には点灯装置９が設けられている。
【００２５】
さらにまた、器具本体１１の天板部、側部１３および天井付帯設備との間に下面に開口した四角形環状、すなわち、平面略ロ字状のランプ収納室１５が形成されている。このランプ収納室１５には、ランプ２の光を下方へ反射される反射板５が取り付けられ、この反射板５の下方にランプ２が収納されている。
【００２６】
また反射板５は、４つの反射部材５１，５１・・・からなっており、これらの反射部材５１がランプ２の各角部２２にて互いに略等角度（本実施形態では略４５度）に連結されている。
【００２７】
またランプ収納室１５には、ランプソケット６が設けられており、このランプソケット６の先端にランプ２の口金２４を着脱可能に保持するホルダ部（図示しない）が形成されているとともに、このホルダ部の基部に口金２４から突出する接続ピンが差し込み接続されるソケット部（図示しない）が形成されている。そして、ランプソケット６には、点灯装置９からの出力線が挿入接続されており、これにより点灯装置９とランプソケット６とが電気的に接続されている。
【００２８】
また、器具本体１１のランプ収納室１５には、ランプ２の発光管２３の角部２２の２箇所に対応して、２つのランプホルダ７，７が取り付けられている。
【００２９】
ここで、バッフル３について、図１、２を参照して説明する。なお、図２の（ａ）はバッフル３の平面図、（ｂ）は同じくバッフル３の正面図、（ｃ）は同じくバッフル３の一部断面側面図である。
【００３０】
バッフル３は、図１および２に示すように、ランプ収納部１５の各片に沿った細長四角形状の枠体３０を備えている。この枠体３０は、長手方向に互いに平行に形成されている一対の側枠部３１，３１と、これら側枠部３１，３１の長手方向の両端部を互いに連続して連結する一対の端枠部３２，３２とを有し、長方形形状の枠部３０Ａを形成している。
【００３１】
また枠体３０は、各々側枠部３１，３１の内側縁３３、３３から連続してランプ収納室１５側に起立するとともに、互いに対向するように反射面が形成されている反射部３４，３４が形成されている。さらに、反射部３４，３４には、長手方向において略等間隔に複数の孔部３５，３５・・・が形成されている。
【００３２】
バッフル片３６、３６・・・は、平面状の制光面３６ａを備えており、その制光面３６ａの両端縁に一対の係合片３６ｂが形成されている。このような各バッフル片３６は、一枚の平板を略中央から半分に折り曲げて互いに相反する制光面３６ａ、３６ａを形成しているものであって、係合片３６ｂは各々の制光面３６ａの上端である両端縁から制光面３６ａの長手方向と平行するように突出して設けられているものである。なお、この係合片３６ｂは図４に示すように、一対の係合用部材３６ｂ１、３６ｂ２によって形成されているものである。
【００３３】
次に、バッフル３の枠体３０の形成方法について図３を用いて説明する。
【００３４】
枠体３０は、一枚の平板からなっており、平板の長手方向の両側側に側枠部材形成部９０を成形するとともに、平板の長手方向の両端部側に端枠部形成部９１を成形する。
【００３５】
そして、側枠部形成部９０と端枠部形成部９１とで囲まれている平板部分から側枠部材形成部９０と連続するように一対の反射部形成部９２を成形し、その反射部形成部９２の長手方向において略等間隔に複数の孔部９３（３５）を成形する。
【００３６】
このとき、反射部形成部９２は、短方向の長さが一対の側枠部形成部９０，９０、および、一対の端枠部形成部９１，９１によって形成された開口部９４の短方向における長さ寸法の１／２以下となるように形成されている。
【００３７】
このように形成された枠部体９５は、まず、側枠部材形成部９０、９０を折り曲げ線９０ａ、９０ａを介して上方に起立させる。そして、端枠部材形成部９１，９１を折り曲げ線９１ａ、９１ａを介して上方に起立させる。
【００３８】
次に、反射部形成部９２、９２を折り曲げ線９０ｂ、９０ｂを介して側枠部材形成部９０および端枠部形成部９１と同方向に起立させることで枠部３０Ａを形成する。なお、反射部３４を形成する際には、図２（ｃ）に示したように、互いの反射部３４、３４の反射面となる面が近づくように傾斜して形成されているものである。
【００３９】
このように形成された枠体３０に対して、複数のバッフル片３６、３６・・・を設けるが、この場合には、まず、一対の反射部３４、３４間にバッフル片３６の両端の各係合片３６ｂを孔部９３に挿入する。そして、係合片３６ｂは、孔部３５に挿入された状態で図４で示すように、係合部材３６ｂ１，３６ｂ２が相反する方向に押し広げられることで孔部３５から抜け出さないように構成され、これによりバッフル片３６が枠体３０に固定される。
【００４０】
そして、このバッフル３を器具本体の照射開口１２に追廻すように４個配置することで、照明器具１０が形成されることとなる。
【００４１】
本実施形態によれば、長手方向に互いに平行に形成された一対の側枠部３１と、これら一対の側枠部３１の長手方向の両端部を連結する一対の端枠部３２と、各々の側枠部３１の内側縁３３から連続して起立するとともに互いに対向するように形成された一対の反射部３４とを一体で成形していることにより、一枚の平板によって実現することができ、材料取りをよくすることができる。さらに、各枠部を折り曲げ、起立するだけであるので、製造を容易とすることができる。
【００４２】
また、枠体３０の枠部３０Ａに板合わせによる継ぎ目等が現れないので、枠部３０Ａの意匠性が大変よいものとなる。
【００４３】
また、枠体３０の枠部３０Ａが各々起立片（側枠部３１、端枠部３２）を介してバッフル３の全周に渡って形成されているので、バッフル３を器具本体１１に設けた際にバッフル３の周囲から照射開口１２を介して光が漏れることが抑制され、器具効率が低下することを防ぐことができる。
【００４４】
また、バッフル片３６を枠体３０とは別部材で形成していることにより、バッフル片３６の両側面と反射部３４の反射面とに隙間を生じにくくなっているので、意匠性が低下することを防ぐことができる。
【００４５】
また、バッフル片３６と枠体３０との係合は、係合片３６ｂの係合用部材３６ｂ１、３６ｂ２を相反する方向に押し広げられることで孔部３５から抜け出さないように構成されるので、製造をより容易とすることができる。
【００４６】
なお、本実施形態ではランプ２を四角形環状のものを示したが、この仕様に限定されず、たとえば円環状、直管状および多角形状であってもよいものである。また、単管であっても二重管および複数管構成のものであってもよい。
【図面の簡単な説明】
【００４７】
【図１】本実施形態の照明器具の平面図
【図２】同じく図１の制光体であるバッフルを示す説明図
【図３】図２のバッフルの枠体の形成前の状態を示す展開図
【図４】図２のバッフルの枠体とバッフル片との係合状態を示す説明図
【符号の説明】
【００４８】
３１・・・側枠部、３２・・・端枠部、３４・・・反射部、３５・・・孔部、３０・・・枠体、１１・・・器具本体、１０・・・照明器具、２・・・ランプ
【図１】
2005327525.tif 000003
【図２】
2005327525.tif 000004
【図３】
2005327525.tif 000005
【図４】
2005327525.tif 000006